(57)【要約】【課題】ユーザに操作性の高い画像表示装置を提供する。【解決手段】複数の画像を並べて表示する画像表示装置であって、複数の画像をそれぞれ識別する画像識別情報に対応付けて複数の画像を格納する画像格納部と、初期設定順序情報を格納し、画像格納部に格納されている複数の画像を、初期設定順序情報が示す順序で配置して表示部に表示する初期配置部と、表示部に表示されている複数の画像のいずれかを選択する入力を外部から受け付けて、選択された画像を識別する画像識別情報を、選択された順序を示す選択順序情報に対応付けて記憶する選択順序記憶部と、選択順序記憶部に記憶されている選択順序情報が示す順序で、選択順序記憶部に記憶されている画像識別情報で識別される画像を画像格納部から読み出し並び替えて、表示部に表示する。【選択図】図２
2007052742.tif 000002
【特許請求の範囲】
【請求項１】
複数の画像を所定の順序に基づいた位置に表示する表示部と、
前記複数の画像のいずれか少なくとも１つを選択する入力を外部から受け付ける選択受付部と、
前記選択受付部が受け付けた順序に基づいた位置に、前記表示部により前記複数の画像を表示する配置変更部と
を備える画像表示装置。
【請求項２】
前記受け付けた順序に基づいた順序で、前記複数の画像を識別する画像識別情報を書き換える識別情報書換部をさらに備える請求項１に記載の画像表示装置。
【請求項３】
前記受け付けた順序の組を、各々を識別する並び替え識別情報と対応付けて格納する選択順序記憶部をさらに備え、
前記配置変更部は、前記並び替え識別情報の入力を外部から受け付けた場合に、前記選択順序記憶部に記憶された前記並び替え識別情報に対応付けられた前記受け付けた順序に基づいた位置で、画像を表示する請求項１に記載の画像表示装置。
【請求項４】
前記配置変更部は、前記選択受付部が前記複数の画像のいずれか少なくとも１つを選択する入力を外部から受け付ける毎に、少なくとも選択された画像を並び替えて前記表示部に表示する請求項１に記載の画像表示装置。
【請求項５】
前記配置変更部は、並び替えを指示する入力を外部から受け付けた場合に、画像を並び替えて前記表示部に表示する請求項１に記載の画像表示装置。
【請求項６】
前記配置変更部は、前記表示部に表示される全画像を並び替えて表示する順序が確定した場合に、画像を並び替えて前記表示部に表示する請求項１に記載の画像表示装置。
【請求項７】
前記配置変更部は、前記複数の画像のうち、外部から選択された画像以外の画像を繰り下げて配置し、前記表示部に表示する請求項１に記載の画像表示装置。
【請求項８】
前記複数の画像をそれぞれ識別する画像識別情報に対応付けて前記複数の画像を格納する画像格納部と、
前記表示部により表示された前記複数の画像のうち前記選択受付部により受け付けられた画像を識別する画像識別情報に対応付けて、前記画像が選択された順序を示す選択順序情報を記憶する選択順序記憶部と
をさらに備え、
前記配置変更部は、前記選択順序記憶部により記憶されている前記選択順序情報により示される順序で前記複数の画像を表示する請求項１に記載の画像表示装置。
【請求項９】
複数の画像を所定の順序で表示する表示部と、
前記複数の画像のいずれか少なくとも１つを選択する入力を外部から受け付ける選択受付部と、
前記選択受付部が受け付けた順序に基づいた順序で、前記複数の画像を識別する画像識別情報を書き換える識別情報書換部と
を備える画像表示装置。
【請求項１０】
前記識別情報書換部は、前記複数の画像のいずれかを選択する入力を外部から受け付ける毎に、少なくとも選択された画像の画像識別情報を書き換える請求項９に記載の画像表示装置。
【請求項１１】
前記識別情報書換部は、書き換えを指示する入力を外部から受け付けた場合に、画像識別情報を書き換える請求項９に記載の画像表示装置。
【請求項１２】
前記識別情報書換部は、前記表示部に表示される全画像に対する順序が確定した場合に、画像識別情報を書き換える請求項９に記載の画像表示装置。
【請求項１３】
前記識別情報書換部は、前記複数の画像のうち、外部から選択された画像以外の画像の順序を繰り下げて前記画像識別情報を書き換える請求項９に記載の画像表示装置。
【請求項１４】
前記識別情報書換部は、前記画像識別情報の書式を保って、前記画像識別情報を書き換える請求項９に記載の画像表示装置。
【請求項１５】
前記表示部は、選択されていない画像を、選択された画像から区別して表示する請求項１または９に記載の画像表示装置。
【請求項１６】
前記表示部は、選択された画像の、選択された順序が分かるように表示する請求項１５に記載の画像表示装置。
【請求項１７】
前記複数の画像をそれぞれ識別する画像識別情報に対応付けて前記複数の画像を格納する画像格納部と、
前記表示部により表示された前記複数の画像のうち前記選択受付部により受け付けられた画像の画像識別情報に対応付けて、前記画像が選択された順序を示す選択順序情報を記憶する選択順序記憶部と
をさらに備え、
前記識別情報書換部は、前記選択順序記憶部により記憶されている前記選択順序情報により示される順序で前記複数の画像の前記画像識別情報を表示する請求項９に記載の画像表示装置。
【請求項１８】
複数の画像を並べて表示する画像表示方法であって、
前記複数の画像を、所定の順序に基づいた位置で表示部に表示する手順と、
前記複数の画像のいずれか少なくとも１つを選択する入力を外部から受け付ける手順と、
前記選択を受け付けた順序に基づいた位置に、前記表示部により前記複数の画像を表示する手順と
を備える画像表示方法。
【請求項１９】
複数の画像を並べて表示する画像表示方法であって、
前記複数の画像を、所定の順序で表示部に表示する手順と、
前記複数の画像のいずれか少なくとも１つを選択する入力を外部から受け付ける手順と、
前記選択を受け付けた順序に基づいた順序で、前記複数の画像を識別する画像識別情報を書き換える手順と
を備える画像表示方法。
【請求項２０】
複数の画像を並べて表示する画像表示装置を制御するプログラムであって、前記画像表示装置に、
前記複数の画像を、所定の順序に基づいた位置で表示部に表示する手順と、
前記複数の画像のいずれか少なくとも１つを選択する入力を外部から受け付ける手順と、
前記選択を受け付けた順序に基づいた位置に、前記表示部により前記複数の画像を表示する手順と
を実行させるプログラム。
【請求項２１】
複数の画像を並べて表示する画像表示装置を制御するプログラムであって、前記画像表示装置に、
前記複数の画像を、所定の順序で配置して表示部に表示する手順と、
前記複数の画像のいずれか少なくとも１つを選択する入力を外部から受け付ける手順と、
前記選択を受け付けた順序基づいた順序で、前記複数の画像を識別する画像識別情報を書き換える手順と
を実行させるプログラム。
【発明の詳細な説明】
【技術分野】
【０００１】
本発明は、画像表示装置、画像表示方法、及び、プログラムに関する。特に、本発明は、複数の画像を並べて表示する画像表示装置、画像表示方法、及び、プログラムに関する。
【背景技術】
【０００２】
複数の画像ファイルが一覧表示されている画面において、ドラッグ・アンド・ドロップにより画像を移動させることにより、好みの順序に画像ファイルを並び替えるユーザインターフェイスが知られている。また、一方の記録媒体から他方の記録媒体に一括して画像データを複製する場合に、指定された順に従って新規ファイル名へと変換する方法が知られている（例えば、特許文献１を参照）。
【特許文献１】特開２００１−２２９０６１号公報
【発明の開示】
【発明が解決しようとする課題】
【０００３】
しかしながら、ドラッグ・アンド・ドロップにより並び替えでは、画面上で好みの位置まで画像ファイルを移動させなければならない。このため、この並び換え方法は、ユーザに操作の負担を感じさせる。さらに、この並び換え方法は、ドラッグ＆ドロップしている途中の画像を生成して表示するので、画像表示装置の画像処理の負担が大きく、並び替えが円滑に表現されない場合がある。
【０００４】
また、特許文献１の発明は、画像ファイルの複製における、複製先の媒体での画像ファイルの名前の変更に関する技術であって、一の画像表示装置おいて、表示される複数の画像ファイルの表示順序を、容易に並べ替える技術について記載してない。
【課題を解決するための手段】
【０００５】
上記課題を解決するために、本発明の第１の形態においては、画像表示装置であって、複数の画像を所定の順序に基づいた位置で表示する表示部と、複数の画像のいずれか少なくとも１つを選択する入力を外部から受け付ける選択受付部と、選択受付部が受け付けた順序に基づいた位置に、表示部に複数の画像を表示する配置変更部とを備える。これにより、ユーザ及び画像表示装置の両方にとって軽い負担で、複数の画像の表示順序を変更することができる。
【０００６】
上記画像表示装置は、受け付けた順序に基づいた順序で、複数の画像を識別する画像識別情報を書き換える識別情報書換部をさらに備えてもよい。これにより、変更後の表示順序に基づいて複数の画像を表示させることができる。
【０００７】
上記画像表示装置は、受け付けた順序の組を、各々を識別する並び替え識別情報と対応付けて格納する選択順序記憶部をさらに備え、配置変更部は、並び替え識別情報の入力を外部から受け付けた場合に、選択順序記憶部に記憶された並び替え識別情報に対応付けられた受け付けた順序に基づいた位置で、画像を表示してもよい。これにより、複数の表示順序を簡易に登録し、また登録された表示順序のうちの所望の１つを指定して表示させることができる。
【０００８】
上記画像表示装置において、配置変更部は、選択受付部が複数の画像のいずれか少なくとも１つを選択する入力を外部から受け付ける毎に、少なくとも選択された画像を並び替えて表示部に表示してもよい。これにより、既にした操作によって表示される表示順序を確認しながら、以降の表示順序を選択させることができる。
【０００９】
上記画像表示装置において、配置変更部は、並び替えを指示する入力を外部から受け付けた場合に、画像を並び替えて表示部に表示してもよい。これにより、表示順序の決定させる場合において、画像の選択が容易となる。
【００１０】
上記画像表示装置において、配置変更部は、表示部に表示される全画像を並び替えて表示する順序が確定した場合に、画像を並び替えて表示部に表示してもよい。これにより、並び替えを指示する入力がなくても画像を並び替えることができる。
【００１１】
上記画像表示装置において、配置変更部は、複数の画像のうち、外部から選択された画像以外の画像を繰り下げて配置し、表示部に表示してもよい。これにより、表示順序を変更させる画像以外の画像の表示順序を保つことができる。
【００１２】
上記画像表示装置は、複数の画像をそれぞれ識別する画像識別情報に対応付けて複数の画像を格納する画像格納部と、表示部により表示された複数の画像のうち選択受付部により受け付けられた画像を識別する画像識別情報に対応付けて、画像が選択された順序を示す選択順序情報を記憶する選択順序記憶部とをさらに備え、配置変更部は、選択順序記憶部により記憶されている選択順序情報により示される順序で複数の画像を表示してもよい。これにより、変更後の表示順序を記憶させ、この記憶した表示順序に基づいて複数の画像を表示させることができる。
【００１３】
本発明の第２の形態においては、画像表示装置であって、複数の画像を所定の順序で表示する表示部と、複数の画像のいずれか少なくとも１つを選択する入力を外部から受け付ける選択受付部と、選択受付部が受け付けた順序に基づいた順序で、複数の画像を識別する画像識別情報を書き換える識別情報書換部とを備える。これにより、画像識別情報を選択順序に基づいて簡単に変更することができる。
【００１４】
上記画像表示装置において、識別情報書換部は、複数の画像のいずれかを選択する入力を外部から受け付ける毎に、少なくとも選択された画像の画像識別情報を書き換えてもよい。これにより、既にした操作によって表示される表示順序を確認しながら、画像識別情報を変更することができる。
【００１５】
上記画像表示装置において、識別情報書換部は、書き換えを指示する入力を外部から受け付けた場合に、画像識別情報を書き換えてもよい。これにより、画像識別情報を書き換える場合において、画像の選択が容易となる。
【００１６】
上記画像表示装置において、識別情報書換部は、表示部に表示される全画像に対する順序が確定した場合に、画像識別情報を書き換えてもよい。これにより、書き換えを指示する入力がなくても画像識別情報を書き換えることができる。
【００１７】
上記画像表示装置において、識別情報書換部は、複数の画像のうち、外部から選択された画像以外の画像の順序を繰り下げて画像識別情報を書き換えてもよい。これにより、画像識別情報を書き換える画像以外の画像の画像識別情報間の関係を保つことができる。
【００１８】
上記画像表示装置において、識別情報書換部は、画像識別情報の書式を保って、画像識別情報を書き換えてもよい。これにより、書き換え前後における画像識別情報の管理を簡単にすることができる。
【００１９】
上記画像表示装置において、表示部は、選択されていない画像を、選択された画像から区別して表示してもよい。これにより、選択されていない画像と選択された画像を容易に区別することができる。
【００２０】
上記画像表示装置において、表示部は、選択された画像の、選択された順序が分かるように表示してもよい。これにより、選択した順序を容易に確認することができる。
【００２１】
上記画像表示装置は、複数の画像をそれぞれ識別する画像識別情報に対応付けて複数の画像を格納する画像格納部と、表示部により表示された複数の画像のうち選択受付部により受け付けられた画像の画像識別情報に対応付けて、画像が選択された順序を示す選択順序情報を記憶する選択順序記憶部とをさらに備え、識別情報書換部は、選択順序記憶部により記憶されている選択順序情報により示される順序で複数の画像の画像識別情報を表示してもよい。これにより、変更後の表示順序を記憶させ、この記憶した表示順序に基づいて画像識別情報を表示することができる。
【００２２】
本発明の第３の形態においては、複数の画像を並べて表示する画像表示方法であって、複数の画像を、所定の順序に基づいた位置で表示部に表示する手順と、複数の画像のいずれか少なくとも１つを選択する入力を外部から受け付ける手順と、選択を受け付けた順序に基づいた位置に、表示部により複数の画像を表示する手順とを備える。これにより第１の形態と同様の効果を得ることができる。
【００２３】
本発明の第４の形態においては、複数の画像を並べて表示する画像表示方法であって、複数の画像を、所定の順序で表示部に表示する手順と、複数の画像のいずれか少なくとも１つを選択する入力を外部から受け付ける手順と、選択を受け付けた順序に基づいた順序で、複数の画像を識別する画像識別情報を書き換える手順とを備える。これにより第２の形態と同様の効果を得ることができる。
【００２４】
本発明の第５の形態においては、複数の画像を並べて表示する画像表示装置を制御するプログラムであって、画像表示装置に、複数の画像を、所定の順序に基づいた位置で表示部に表示する手順と、複数の画像のいずれか少なくとも１つを選択する入力を外部から受け付ける手順と、選択を受け付けた順序に基づいた位置で、表示部により複数の画像を表示する手順とを実行させる。これにより第１の形態と同様の効果を得ることができる。
【００２５】
本発明の第６の形態においては、複数の画像を並べて表示する画像表示装置を制御するプログラムであって、画像表示装置に、複数の画像を、所定の順序で配置して表示部に表示する手順と、複数の画像のいずれか少なくとも１つを選択する入力を外部から受け付ける手順と、選択を受け付けた順序基づいた順序で、複数の画像を識別する画像識別情報を書き換える手順とを実行させる。これにより第２の形態と同様の効果を得ることができる。
【００２６】
なお、上記の発明の概要は、本発明の必要な特徴の全てを列挙したものではなく、これらの特徴群のサブコンビネーションもまた、発明となりうる。
【発明を実施するための最良の形態】
【００２７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２８】
図１は、本発明の実施形態に係る画像表示装置１０の一例を示す。画像表示装置１０は、複数の画像を並べて表示する画像表示アプリケーションプログラムを実行するパーソナルコンピュータ３０と、表示画面を有しユーザに対してパーソナルコンピュータ３０からの出力に基づく表示をするディスプレイ３２と、ユーザからパーソナルコンピュータ３０に対する入力手段の一例としてのキーボード３４及びマウス３６とを備える。本実施形態は、複数の画像を並べて表示する場合において、簡単に、その並び順序を変更することができる画像表示装置１０を提供することを目的とする。
【００２９】
図２は、画像表示装置１０の機能ブロックを示す。画像表示装置１０は、複数の画像をそれぞれ識別する画像識別情報（以下、「画像ＩＤ」という）に対応付けて複数の画像を格納する画像格納部１２と、初期設定順序情報を格納し、画像格納部１２に格納されている複数の画像を、初期設定順序情報が示す順序で配置して表示部１４に表示する初期配置部１６と、表示部１４に表示されている複数の画像のいずれかを選択する入力を外部から受け付ける選択受付部２４と、選択された画像を識別する画像ＩＤを、選択された順序を示す選択順序情報に対応付けて記憶する選択順序記憶部１８とを備える。画像表示装置１０は、選択順序記憶部１８に記憶されている選択順序情報が示す順序で、選択順序記憶部１８に記憶されている画像ＩＤで識別される画像を並び替えて、表示部１４に表示する配置変更部２０を更に備える。
【００３０】
画像格納部１２は、複数の画像をパーソナルコンピュータ３０が備えるハードディスク、又は、メモリに格納する。選択順序記憶部１８は、選択順序情報、及び並び替えＩＤをパーソナルコンピュータ３０が備えるメモリに記憶することが好ましい。
【００３１】
初期配置部１６は、画像ＩＤに基づいて複数の画像を配置する初期設定順序情報を格納する。これにより、初期配置部１６は、ユーザからの指定がなくても、所定の表示順序で複数の画像を表示することができる。さらに、初期配置部１６は、登録された表示順序に基づいて次回から複数の画像を初期表示として表示することができる。初期配置部１６は、初期設定順序情報をパーソナルコンピュータ３０が備えるハードディスクに予め格納する。初期設定順序情報は、例えば、この初期設定として、ファイル名の昇順で並べる旨を格納する。
【００３２】
選択順序記憶部１８は、表示部１４に表示されている複数の画像のいずれかを選択する入力を外部から受け付けて、選択された画像を識別する画像識別情報を、選択された順序を示す選択順序情報に対応付けて記憶する。この場合に、選択順序記憶部１８は、入力された選択順序情報を、選択順序情報の組を識別する並び替え識別情報（以下、「並び替えＩＤ」という。）に対応付けて、格納する。さらに、選択順序記憶部１８は、並び替えＩＤの入力を外部から受け付ける。
【００３３】
配置変更部２０は、選択順序記憶部１８が並び替えＩＤの入力を外部から受け付けた場合に、選択順序記憶部１８に記憶された並び替えＩＤに対応付けられた選択順序情報の組に基づいて、画像を並び替えて表示部１４に表示する。これにより、複数の表示順序を簡易に登録し、また登録された表示順序に基づいて表示させることができる。この場合に、配置変更部２０は、選択順序記憶部１８が並び替えを指示する入力を外部から受け付けた場合に、画像を並び替えて表示部１４に表示してもよい。これにより、表示順序の決定させる場合において、画像の選択が容易となる。これに代えて、配置変更部２０は、選択順序記憶部１８が表示部１４に表示されている複数の画像のいずれかを選択する入力を外部から受け付ける毎に、少なくとも選択された画像を並び替えて表示部１４に表示してもよい。これにより、既にした操作によって表示される表示順序を確認させながら、以降の表示順序を選択させることができる。
【００３４】
さらに、配置変更部２０は、画像を並び替える場合に、画像格納部１２に格納されている複数の画像のうち、外部から選択された画像以外の画像を繰り下げて配置し、表示部１４に表示することが好ましい。これにより、表示順序を変更させる画像以外の画像の表示順序を保つことができる。
【００３５】
画像表示装置１０は、選択順序記憶部１８に記憶されている選択順序情報に基づいて、画像格納部１２に格納されている画像ＩＤを書き換える識別情報書換部２２を更に備えていることが好ましい。これにより、画像の表示順序を変更する手順が簡略化できる。
【００３６】
識別情報書換部２２は、選択順序記憶部１８が書き換えを指示する入力を外部から受け付けた場合に、画像ＩＤを書き換える。これにより、表示順序を決定させた後に、画像ＩＤを書き換えることができる。また、識別情報書換部２２は、選択順序記憶部１８が表示部１４に表示されている複数の画像のいずれかを選択する入力を外部から受け付ける毎に、少なくとも選択された画像の画像ＩＤを書き換えてもよい。この場合に、識別情報書換部２２は、画像格納部１２に格納されている複数の画像のうち、外部から選択された画像以外の画像の順序を繰り下げた選択順序情報を割り当てて画像ＩＤを書き換えることが好ましい。これにより、表示順序を変更させる画像以外の画像の表示順序を保つことができる。
【００３７】
また、記録媒体４０は、画像格納部１２、表示部１４、初期配置部１６、選択順序記憶部１８、配置変更部２０及び識別情報書換部２２の動作を行わせるプログラムを格納する。画像表示装置１０は記録媒体４０に格納された上記プログラムをインストールすることにより、上記画像格納部１２等の動作を行わせてもよい。さらに、他の方法として、パーソナルコンピュータ３０は、そのようなプログラムを、通信回線を介して取得してもよい。
【００３８】
また、画像表示装置１０は、非図示のデジタルカメラからオリジナル画像を取得して画像格納部１２に格納することができる。さらに、他の方法として、パーソナルコンピュータ３０は、オリジナル画像を、通信回線を介して取得してもよい。
【００３９】
図３は、表示部１４の一例を模式的に示す。表示部１４は、サムネイルを表示するサムネイル表示領域１４０、サムネイル表示領域１４０に表示されるサムネイルの並び順序の条件を指定する条件指定領域１４２を有する。表示部１４は、画像を表示する複数の画像位置に対応付けて並び順序を記憶している。図３に示す例において、表示部１４は、左上から右下への並び順序と画像位置とを対応付けて記憶している。すなわち、表示部１４は、画像位置１、画像位置２、画像位置３、画像位置４、画像位置５、画像位置６、画像位置７、画像位置８、画像位置９という並び順序で、サムネイル表示領域１４０に９枚のサムネイルを表示する。
【００４０】
表示部１４は、上記以外の並び順序でサムネイルを表示してもよい。また並び順序はユーザからの入力により指定されてもよい。表示部１４は、例えば、画像位置３、画像位置６、画像位置９、画像位置２、画像位置５、画像位置８、画像位置１、画像位置４、画像位置７という右上から左下への順で、サムネイルを表示してもよい。ただし、以下の説明において、表示部１４は、サムネイル表示領域１４０に、画像位置１、画像位置２、画像位置３、画像位置４、画像位置５、画像位置６、画像位置７、画像位置８、画像位置９の順で、サムネイルを表示するものとする。
【００４１】
表示部１４は、サムネイル表示領域１４０のサイズ、表示するサムネイルのサイズ等に応じて、８枚以下、又は１０枚以上のサムネイルを表示できる。具体的には、表示部１４は、サムネイルのサイズがより小さい場合には、例えば２０枚のサムネイルを表示することができる。また、表示部１４は、サムネイル表示領域１４０に非図示のスクロールバーを設け、多数のサムネイルを表示してもよい。表示部１４は、サムネイル表示領域１４０に上記サムネイル画像にかえて、ピクセル数の小さい、オリジナル画像を表示してもよい。
【００４２】
表示部１４は、条件指定領域１４２に、画像ファイルのファイル名の昇順又は降順によりサムネイルの並び順序を指定する「ファイル名」、画像ファイルの作成日時の昇順又は降順によりサムネイルの並び順序を指定する「日付」、及び、ユーザの好みに応じてサムネイルの並び順序を指定する「カスタム」の領域を有する。表示部１４は、図３に示す例においては、条件指定領域１４２に、上記「ファイル名」、上記「日付」、及び、「カスタム」のタブを有する。表示部１４は、条件指定領域１４２に、画像ファイルのファイル形式、ピクセル数、容量、修正日時等の画像ファイルに関するパラメータ、又はシャッタースピード、絞り、露出、画角、チェック等の撮像データに関するパラメータによりサムネイルの並び順序を指定する領域を有していてもよい。
【００４３】
表示部１４は、この「カスタム」のタブに、ユーザからの並び替えＩＤの入力を受け付ける「並び替えＩＤ選択」、サムネイルの並び替えを指示する、ユーザからの入力を受け付ける「並び替え指示」、及び、画像ＩＤの書き換えを指示する、ユーザからの入力を受け付ける「書き換え指示」のユーザインターフェイスを備える。図３に示す例においては、表示部１４は、このタブに、プルダウンメニューとして「並び替えＩＤの選択」、ボタンとして「並び替え指示」及び「書き換え指示」を備える。
【００４４】
表示部１４は、選択されていない画像を、選択された画像から区別して表示する。例えば図３に示すように、表示部１４は、ユーザから画像位置１の画像が選択された場合に、画像位置１の画像に枠１４４を表示することにより、選択された画像と選択されていない画像とを区別する。これにより、選択されていない画像と選択された画像を容易に区別することができる。
【００４５】
さらに、表示部１４は、選択された画像の、選択された順序が分かるように表示する。例えば図３に示すように、表示部１４は、ユーザから画像位置１の画像が選択された場合に、当該位置の近傍、例えば右上に選択された順序を示す数値を枠１４６内に表示する。これにより、選択した順序を容易に確認することができる。
【００４６】
図４は、画像格納部１２に格納された情報の一例を模式的に示す。図４に示す例において、画像格納部１２は、画像ファイルのファイル名及びファイル形式を画像ＩＤとして、複数の画像を格納する。例えば、画像格納部１２は、画像ＩＤ「Ｇ０１１０．ｊｐｇ」に対応付けて画像「Ａ」を格納する。また、画像格納部１２は、画像ＩＤ「Ｇ０１１０．ｊｐｇ」に対応付けて画像「Ａ」のサムネイル「ａ」を格納する。
【００４７】
画像格納部１２は、パーソナルコンピュータ３０のハードディスクに、画像ＩＤに対応付けて画像「Ａ」等を格納してもよい。画像格納部１２は、メモリに、画像ＩＤに対応付けてサムネイル「ａ」等を格納してもよい。また、画像格納部１２は、画像ファイルに付随する、又はそれ以外の新規の項目を画像ＩＤとして、複数の画像を格納してもよい。
【００４８】
図５は、選択順序記憶部１８に記憶された情報の一例を模式的に示す。図５に示す例において、選択順序記憶部１８は、選択順序情報「０１」に対応付けて、画像ＩＤ「Ｇ０１３８．ｊｐｇ」を格納する。同様に、選択順序記憶部１８は、選択順序情報「０２」に対応付けて、画像ＩＤ「Ｇ０１２２．ｊｐｇ」を格納する。
【００４９】
図６は、画像表示装置１０が画像を表示部１４に表示する流れの一例をフローチャートで示す。図７は、サムネイル表示領域１４０の表示の一例を模式的に示す。本フローチャートは、画像表示アプリケーションが、起動時等において初期表示としてサムネイルを表示部１４に表示するところから開始する。
【００５０】
本フローチャートの開始時点において、サムネイルは、図３に示すように、表示部１４の１４０に表示されていない。画像格納部１２は、図４に示すように、画像ＩＤに対応付けて複数の画像（画像「Ｈ」までとする）を格納しているものとする。初期配置部１６は、初期設定順序情報として、ファイル名の昇順で並べる旨を規定しているものとする。
【００５１】
初期配置部１６は、画像格納部１２に格納されている画像を、初期設定順序情報が示す順序で配置して表示部１４に表示する（Ｓ１００）。この場合にまず、初期配置部１６は、初期設定順序情報を読み込む。初期配置部１６は、読み込んだ初期設定順序情報によって、ファイル名（図４に記載の画像ＩＤのフィールド）の昇順で、表示部１４のサムネイル表示領域１４０にサムネイルを表示すべき旨を解釈する。
【００５２】
例えば、初期配置部１６は、昇順よる１つ目の画像識別情報に対応付けられた画像「Ａ」を画像格納部１２から読み出して、サムネイル「ａ」をメモリ上に生成する。初期配置部１６は、生成したサムネイル「ａ」を画像位置１に表示する。以下順次、初期配置部１６は、サムネイル「ｂ」からサムネイル「ｈ」を、画像位置２から画像位置８に表示する。これにより、初期配置部１６は、図７（ａ）に示すように、サムネイルを表示する。
【００５３】
ここで、初期配置部１６は、画像ＩＤに対応付けて、生成したサムネイルをメモリ上に記憶することが好ましい。そして、初期配置部１６は、メモリ上に表示すべきサムネイルが記憶されている場合には、サムネイルを生成することなく、記憶されているサムネイルを用いて、初期設定順序情報が示す順序で配置して表示してもよい。具体的には、画像表示アプリケーションが、既に起動され、例えば図７（ｂ）に示すように、サムネイルを表示している場合に、非図示のボタン「初期配置」がユーザによりクリックされた旨の情報を受け付けたときは、初期配置部１６は、サムネイルを生成することなく、メモリ上に記憶されているサムネイルを用いて、初期設定順序情報が示す順序で配置して表示してもよい。
【００５４】
次に、選択順序記憶部１８は、並び順序の指定として「カスタム」が選択されたか否かを判断する（Ｓ１０２）。具体的には、選択順序記憶部１８は、「カスタム」のタブがユーザにより選択された旨の情報を受け付けたか否かを判断する。
【００５５】
ステップＳ１０２において、選択順序記憶部１８は、並び順序の指定として「カスタム」が選択されていないと判断した場合（Ｓ１０２：Ｎｏ）、本フローチャートは終了する。この場合（Ｓ１０２：Ｎｏ）には、サムネイル表示領域１４０のサムネイルの表示は、ステップＳ１００で表示された順序のままとなる。
【００５６】
ステップＳ１０２において、選択順序記憶部１８は、並び順序の指定として「カスタム」が選択されたと判断した場合（Ｓ１０２：Ｙｅｓ）、並び替え表示処理（Ｓ２００）、及び書き換え処理（Ｓ３００）を実行して、本フローチャートは終了する。この場合（Ｓ１０２：Ｙｅｓ）に、選択順序記憶部１８は、並び替え表示処理（Ｓ２００）、又は、書き換え処理（Ｓ３００）のいずれか一方を実行して、本フローチャートを終了してもよい。
【００５７】
図８は、ステップＳ２００の一例をフローチャートで示す。以下の説明において、本フローチャートの開始時点で、複数のサムネイルは、図７（ａ）が示す配置で、サムネイル表示領域１４０に表示されているとする。
【００５８】
選択受付部２４は、表示部１４に表示されている複数の画像のいずれかを選択する入力を外部から受け付ける（Ｓ２０２）。より詳しくは、選択受付部２４は、サムネイル表示領域１４０に表示されているサムネイルがユーザによりクリックされた旨の情報をキーボード３４またはマウス３６から受け付ける。例えば、選択受付部２４は、（図７（ａ））においてユーザがサムネイル「ｆ」をクリックすると、サムネイル「ｆ」がユーザによってクリックされた旨の通知を受け付ける。
【００５９】
選択順序記憶部１８は、選択順序情報に対応付けて、選択された画像の画像ＩＤを記憶する（Ｓ２０４）。より詳しくは、選択受付部２４がサムネイル「ｆ」がクリックされた旨の通知を受け付けた場合に、選択受付部２４からの通知により、選択順序記憶部１８は、サムネイル「ｆ」の画像ＩＤ「Ｇ０１３８．ｊｐｇ」を取得する。選択順序記憶部１８は、選択順序情報「０１」に対応付けて、選択されたサムネイル「ｆ」の画像ＩＤ「Ｇ０１３８．ｊｐｇ」を記憶する。なお、選択順序記憶部１８は、選択順序情報を、例えば「０１」から、自動採番（発行）する。
【００６０】
次に、選択順序記憶部１８は、画像の並び替えを指示する入力を外部から受け付けたか否かを判断する（Ｓ２０６）。より詳しくは、選択順序記憶部１８は、ボタン「並び替え」がユーザによりクリックされたか否かを判断する。
【００６１】
ステップＳ２０６において、選択受付部２４は、画像の並び替えを指示する入力を外部から受け付けるまで（Ｓ２０６：Ｎｏ）、ステップＳ２０２に戻る。この場合（Ｓ２０６：Ｎｏ）には、サムネイル表示領域１４０のサムネイルの表示は、並び替えがなされない。これにより、表示順序の決定させる場合において、画像の選択が容易となる。
【００６２】
なお、例えば、再び実行されるステップ２０２において選択受付部２４がサムネイル「ｃ」がクリックされた旨の通知を受け付けた場合、続くステップＳ２０４において選択順序記憶部１８は、選択順序情報「０２」に対応付けて、選択されたサムネイル「ｃ」の画像ＩＤ「Ｇ０１２２．ｊｐｇ」を記憶する。ここで、選択順序記憶部１８は、図５に示すように選択順序情報を記憶する。
【００６３】
ステップＳ２０６において、選択受付部２４が画像の並び替えを指示する入力を外部から受け付けたと判断した場合（Ｓ２０６：Ｙｅｓ）、配置変更部２０は、選択順序情報が示す順序で、画像を画像格納部１２から読み出し、表示部１４に表示する（Ｓ２０８）。この場合に、選択受付部２４が画像の並び替えを指示する入力を外部から受け付けた旨を、選択順序記憶部１８を介して配置変更部２０に通知し、この通知に基づいてステップＳ２０８を実行する。以上により本フローチャートは終了する。
【００６４】
なお、ステップＳ２０６において、選択受付部２４が画像の並び替えを指示する入力を受け付けたかどうかを判断するのに代えて、表示部１４により表示される全画像を並び替えて表示する順序が確定した場合に、配置変更部２０は、画像を並び替えて表示部１４により表示してもよい。この場合に例えば、全画像が順次選択されたとき、または、一つを残して他の全画像が順次選択されたときに順序が確定したとして、配置変更部２０は、画像を並び替えて表示部１４により表示してもよい。
【００６５】
図７（ｃ）は、このように、配置変更部２０がこの選択順序情報「０１」及び「０２」が示す順序で、表示部１４に表示したときのサムネイルの並び順序を示す。より詳しくは、図５に示すように選択順序記憶部１８が選択順序情報を記憶している場合、配置変更部２０は、まず、選択順序情報「０１」に対応付けられた画像ＩＤ「Ｇ０１３８．ｊｐｇ」を選択順序記憶部１８から取得する。配置変更部２０は、画像格納部１２を参照して、画像ＩＤ「Ｇ０１３８．ｊｐｇ」で識別されるサムネイル「ｆ」を、画像格納部１２から読み出してサムネイル表示領域１４０の画像位置１に表示する。
【００６６】
次に、配置変更部２０は、選択順序情報「０２」に対応付けられた画像ＩＤ「Ｇ０１２２．ｊｐｇ」を選択順序記憶部１８から取得する。配置変更部２０は、画像格納部１２を参照して、画像ＩＤ「Ｇ０１２２．ｊｐｇ」で識別されるサムネイル「ｃ」を、画像格納部１２から読み出してサムネイル表示領域１４０の画像位置２に表示する。このように、画像の表示順序を変更する手順が簡略化できる。なお、配置変更部２０は、選択されていないサムネイルは、繰り下げて配置して表示する。これにより、表示順序を変更させる画像以外の画像の表示順序を保つことができる。ここで、選択されていないサムネイルを繰り下げるのに代えて、選択されたサムネイルと、この選択されたサムネイルが配置されるべき場所にそのとき配置されているサムネイルとを入れ替えて配置してもよい。
【００６７】
上記フローチャートにおいて、ステップ２０６を省略してもよい。より詳しくは、選択順序記憶部１８は、選択順序情報「０１」に対応付けて、選択されたサムネイル「ｆ」の画像ＩＤ「Ｇ０１３８．ｊｐｇ」を記憶（Ｓ２０４）した後、配置変更部２０は、選択受付部２４による判断（Ｓ２０６）を待つことなく、選択順序情報「０１」に対応付けられた画像ＩＤ「Ｇ０１３８．ｊｐｇ」を選択順序記憶部１８から取得する。配置変更部２０は、画像格納部１２を参照して、画像ＩＤ「Ｇ０１３８．ｊｐｇ」で識別されるサムネイル「ｆ」を、画像格納部１２から読み出してサムネイル表示領域１４０の画像位置１に表示する（Ｓ２０８）。これにより、既にした操作によって表示される表示順序を確認させながら、以降の表示順序を選択させることができる。図７（ｂ）は、このように、配置変更部２０がこの選択順序情報「０１」が示す順序で、表示部１４に表示したときのサムネイルの並び順序を示す。
【００６８】
なお、ステップ２０４において、選択順序記憶部１８は、選択順序情報の組を識別する並び替えＩＤに対応付けて、前記選択順序情報を格納してもよい。
【００６９】
図９は、ステップＳ３００の一例をフローチャートで示す。図１０は、画像格納部１２に格納された情報の一例を模式的に示す。以下の説明において、本フローチャートの開始時点で、選択順序記憶部１８は、図５に示すように、選択順序情報に対応付けて画像ＩＤを格納しているとする。画像格納部１２は、図４に示すように、画像ＩＤに対応付けて複数の画像（画像「Ｈ」までとする）を格納しているものとする。
【００７０】
選択受付部２４は、表示部１４に表示されている複数の画像のいずれかを選択する入力を外部から受け付ける（Ｓ３０２）。この動作は、図８に記載したステップＳ２０２と同様なので説明を省略する。選択順序記憶部１８は、選択順序情報に対応付けて、選択された画像の画像ＩＤを記憶する（Ｓ３０４）。この動作は、図８に記載したステップＳ２０４と同様なので説明を省略する。
【００７１】
選択受付部２４は、画像ＩＤの書き換えを指示する入力を外部から受け付けたか否かを判断する（Ｓ３０６）。より詳しくは、選択受付部２４は、ボタン「書き換え」がユーザによりクリックされたか否かを判断する。
【００７２】
ステップＳ３０６において、選択受付部２４は、画像ＩＤの書き換えを指示する入力を外部から受け付けていないと判断した場合（Ｓ３０６：Ｎｏ）、ステップＳ３０２に戻る。この場合（Ｓ３０６：Ｎｏ）には、画像格納部１２が格納する画像ＩＤは、書き換えがなされない。これにより、表示順序を決定させた後に、画像ＩＤを書き換えることができる。
【００７３】
ステップＳ３０６において、選択受付部２４が画像ＩＤの書き換えを指示する入力を外部から受け付けたと判断した場合（Ｓ３０６：Ｙｅｓ）、識別情報書換部２２は、選択順序情報に基づいて、画像を画像格納部１２に格納されている画像ＩＤを書き換える（Ｓ３０８）。ここで本フローチャートは終了する。
【００７４】
より詳しくは、例えば、識別情報書換部２２は、まず、選択順序情報「０１」に対応付けられた画像ＩＤ「Ｇ０１３８．ｊｐｇ」を選択順序記憶部１８から取得する。識別情報書換部２２は、画像格納部１２に格納されている画像ＩＤ「Ｇ０１３８．ｊｐｇ」を、画像ＩＤ「Ｇ０００１．ｊｐｇ」に書き換える。
【００７５】
次に、識別情報書換部２２は、選択順序情報「０２」に対応付けられた画像ＩＤ「Ｇ０１２２．ｊｐｇ」を選択順序記憶部１８から取得する。識別情報書換部２２は、画像格納部１２に格納されている画像ＩＤ「Ｇ０１２２．ｊｐｇ」を、画像ＩＤ「Ｇ０００２．ｊｐｇ」に書き換える。
【００７６】
この場合に、識別情報書換部２２は、画像ＩＤの書式を保って、画像ＩＤを書き換えることが好ましい。例えば、画像ＩＤが「Ｇ＊＊＊＊．ｊｐｇ」（ただし「＊」は数字）という書式を有する場合に、識別情報書換部２２は当該画像ＩＤの中の数字を書き換えることが好ましい。この場合に、例えば、識別情報書換部２２は、書き換えの対象となる画像ＩＤの中の数字を探して、当該数字を、選択順序を示す数字に書き換える。なお画像ＩＤの書式を保つことに代えて、識別情報書換部２２は、ユーザからの指示に基づいて新たな書式で画像ＩＤを書き換えてもよい。例えば、上記形態において、数字を前に配置した新たに画像ＩＤ「＊＊＊＊Ｇ．ｊｐｇ」を用いて、識別情報書換部２２が画像ＩＤを書き換えてもよい。これにより、初期設定の画像ＩＤであるか識別情報書換部２２により書き換えられた画像ＩＤであるかを容易に判断することができる。
【００７７】
識別情報書換部２２は、選択されていないサムネイルの画像ＩＤに基づく並び順序が、書き換えた画像ＩＤよりも先になるときは、選択されていないサムネイルの画像ＩＤを、書き換えた画像ＩＤよりも先にならないように書き換えることが好ましい。識別情報書換部２２は、選択されていないサムネイルの画像ＩＤを書き換えるときは、それらの画像ＩＤの順序を維持する。これにより、表示順序を変更させる画像以外の画像の表示順序を保つことができる。
【００７８】
ここで、画像格納部１２が図１０（ｂ）に示す画像ＩＤを有している場合には、図６に記載のステップＳ１００において、初期配置部１６は、図７（ｃ）に示すように、サムネイルを表示する。これにより、変更後の表示順序を登録させ、初期表示として表示させることができる。
【００７９】
ところで本フローチャートにおいて、ステップ３０６を省略してもよい。より詳しくは、選択順序記憶部１８は、選択順序情報「０１」に対応付けて、選択されたサムネイル「ｆ」の画像ＩＤ「Ｇ０１３８．ｊｐｇ」を記憶（Ｓ３０４）した後、識別情報書換部２２は、選択受付部２４による判断（Ｓ３０６）を待つことなく、選択順序情報「０１」に対応付けられた画像ＩＤ「Ｇ０１３８．ｊｐｇ」を選択順序記憶部１８から取得する。識別情報書換部２２は、画像格納部１２に格納されている画像ＩＤ「Ｇ０１３８．ｊｐｇ」を、画像ＩＤ「Ｇ０００１．ｊｐｇ」に書き換える（Ｓ３０８）。なお、このとき、画像格納部１２は、図１０（ａ）に示すように、画像ＩＤに対応付けて画像を格納している。
【００８０】
なお、図８に記載したステップＳ２００が実行されている場合には、ステップＳ３０２及びステップＳ３０４は実行しなくてもよい。この場合、識別情報書換部２２は、図８に記載したステップＳ２０４において、選択順序記憶部１８によって記憶された選択順序情報に基づいて、画像を画像格納部１２に格納されている画像ＩＤを書き換える（Ｓ３０８）。
【００８１】
識別情報書換部２２は、画像格納部１２に格納された画像ＩＤを書き換えた後に、選択順序記憶部１８が記憶する画像ＩＤを、画像格納部１２の画像ＩＤと同一の値で書き換えることが好ましい。
【００８２】
図１１は、選択順序記憶部１８に記憶された情報の他の例を模式的に示す。図１１に示す例において、選択順序記憶部１８は、選択順序情報「０１」及び「０２」の組を識別する並び替えＩＤ「お気に入り１」に対応付けて、選択順序情報「０１」及び「０２」を格納する。選択順序記憶部１８は、また、並び替えＩＤ「お気に入り１」において、選択順序情報「０１」に対応付けて画像ＩＤ「Ｇ０１３８．ｊｐｇ」を、選択順序情報「０２」に対応付けて画像ＩＤ「Ｇ０１２２．ｊｐｇ」を格納する。
【００８３】
同様に、選択順序記憶部１８は、選択順序情報「０１」「０２」「０３」及び「０４」の組を識別する並び替えＩＤ「お気に入り２」に対応付けて、選択順序情報「０１」「０２」「０３」及び「０４」を格納する。選択順序記憶部１８は、また、並び替えＩＤ「お気に入り２」において、選択順序情報「０１」に対応付けて画像ＩＤ「Ｇ０１１８．ｊｐｇ」を、選択順序情報「０２」に対応付けて画像ＩＤ「Ｇ０１３７．ｊｐｇ」を、選択順序情報「０３」に対応付けて画像ＩＤ「Ｇ０１１０．ｊｐｇ」を、選択順序情報「０４」に対応付けて画像ＩＤ「Ｇ０１３７．ｊｐｇ」を格納する。
【００８４】
図１２は、画像表示装置１０が画像を表示部１４に表示する流れの他の例をフローチャートで示す。本フローチャートは、選択順序記憶部１８が図１１に示す情報を記憶する形態に基づいて動作する。本フローチャートの開始時点において、複数のサムネイルは、図７（ａ）が示す配置で、表示部１４のサムネイル表示領域１４０に表示されているものとする（図７（ａ）。画像格納部１２は、図４に示すように、画像ＩＤに対応付けて複数の画像（画像「Ｈ」までとする）を格納しているものとする（図４）。選択順序記憶部１８は、図１１に示すように、並び替えＩＤ「お気に入り１」、及び「お気に入り２」に対応付けて、それぞれ選択順序情報を格納しているものとする。
【００８５】
選択受付部２４は、並び替えＩＤの入力を外部から受け付ける（Ｓ４００）。より詳しくは、選択受付部２４は、プルダウンメニュー「並び替えＩＤの選択」のメニューリストから、ユーザにより選択された並び替えＩＤを受け付ける。例えば、選択受付部２４は、ユーザにより選択された並び替えＩＤ「お気に入り１」を受け付ける。ここで、プルダウンメニュー「並び替えＩＤの選択」のメニューリストから選択できる並び替えＩＤは、選択順序記憶部１８に記憶されている並び替えＩＤと同じであることが好ましい。例えば、図８のステップＳ２０４において、選択順序記憶部１８は、並び替えＩＤに対応付けて選択順序情報を格納する場合、選択順序記憶部１８は、格納される並び替えＩＤをプルダウンメニュー「並び替えＩＤの選択」のリストに追加してもよい。
【００８６】
配置変更部２０は並び替えＩＤに対応付けられた選択順序情報の組に基づいて画像を表示部１４に表示する（Ｓ４０２）。より詳しくは、配置変更部２０は、受け付けた並び替えＩＤ「お気に入り１」に対応付けられた、選択順序情報「０１」及び「０２」、並びに、これらの選択順序情報に対応付けられた画像ＩＤ「Ｇ０１３８．ｊｐｇ」及び「Ｇ０１２２．ｊｐｇ」を選択順序記憶部１８から取得する。
【００８７】
配置変更部２０は、画像格納部１２を参照して、取得した画像ＩＤ「Ｇ０１３８．ｊｐｇ」からサムネイル「ｆ」を特定する。配置変更部２０は、特定したサムネイル「ｆ」を画像格納部１２から読み出し、サムネイル表示領域１４０の画像位置１にサムネイル「ｆ」を表示する。
【００８８】
次に、配置変更部２０は、画像格納部１２を参照して、取得した画像ＩＤ「Ｇ０１２２．ｊｐｇ」からサムネイル「ｃ」を特定する。配置変更部２０は、特定したサムネイル「ｃ」を画像格納部１２から読み出し、サムネイル表示領域１４０の画像位置２にサムネイル「ｃ」を表示する。図７（ｃ）は、配置変更部２０がこの並び替えＩＤ「お気に入り１」に対応付けられた画像ＩＤの組に基づいて、表示部１４に表示したときの表示を示す。これにより、複数の表示順序を簡易に登録し、また登録された表示順序に基づいて表示させることができる。
【００８９】
選択受付部２４は、画像ＩＤの書き換えを指示する入力を外部から受け付けたか否かを判断する（Ｓ４０４）。この動作は、図９に記載したステップＳ３０６と同様なので説明を省略する。
【００９０】
ステップＳ４０４において、選択受付部２４は、画像ＩＤの書き換えを指示する入力を外部から受け付けていないと判断した場合（Ｓ４０４：Ｎｏ）、ステップＳ４００に戻る。この場合（Ｓ４０４：Ｎｏ）には、画像格納部１２が格納する画像ＩＤは、書き換えがなされない。
【００９１】
ステップＳ４０４において、選択受付部２４が画像ＩＤの書き換えを指示する入力を外部から受け付けたと判断した場合（Ｓ４０４：Ｙｅｓ）、識別情報書換部２２は、並び替えＩＤに対応付けられた選択順序情報の組に基づいて、画像格納部１２に格納されている画像ＩＤを書き換える。ここで本フローチャートは終了する。より詳しくは、識別情報書換部２２は、受け付けた並び替えＩＤ「お気に入り１」に対応付けられた、選択順序情報「０１」及び「０２」、並びに、これらの選択順序情報に対応付けられた画像ＩＤ「Ｇ０１３８．ｊｐｇ」及び「Ｇ０１２２．ｊｐｇ」を選択順序記憶部１８から取得する。以降の動作は、図９に記載したステップＳ３０８と同様なので説明を省略する。
【００９２】
ここで、識別情報書換部２２は、配置変更部２０が取得（Ｓ４０２）した画像ＩＤを、配置変更部２０から取得してもよい。なお、このとき画像格納部１２は、図１０（ｂ）に示すように、画像ＩＤに対応付けて画像を格納している。
【００９３】
ところで、選択順序記憶部１８が１つの並び替えＩＤ「お気に入り２」の中で、同一の画像ＩＤに対して複数の選択順序情報がある場合に、そのうちのいずれか１つの選択順序情報を有効であるとして、一のサムネイルをサムネイル表示領域１４０に表示してもよい。
【００９４】
この場合に、例えば、配置変更部２０は、前にしたユーザの指示を有効と判断する動きをしてもよい。具体的には、配置変更部２０は、画像位置１に画像ＩＤ「Ｇ０１１８．ｊｐｇ」から特定したサムネイル「ｂ」を、画像位置２に画像ＩＤ「Ｇ０１３７．ｊｐｇ」から特定したサムネイル「ｅ」を、画像位置３に画像ＩＤ「Ｇ０１１０．ｊｐｇ」から特定したサムネイル「ａ」を表示してもよい。この場合は、配置変更部２０は、サムネイル「ｅ」を画像位置４以降に再び表示しない。これに代えて、配置変更部２０は、後にしたユーザの指示を有効と判断する動きをしてもよい。具体的には、配置変更部２０は、画像位置１にサムネイル「ｂ」を、画像位置２にサムネイル「ａ」を、画像位置３にサムネイル「ｅ」を表示してもよい。この場合も、配置変更部２０は、サムネイル「ｅ」を画像位置４以降に再び表示しない。
【００９５】
図１３は、画像格納部１２に格納された情報の他の例を模式的に示す。図１３に示す例において、画像格納部１２は、選択順序情報を画像ＩＤとして、複数の画像を格納する。例えば、画像格納部１２は、画像ＩＤ「０１」に対応付けて画像「Ａ」を格納する。また、画像格納部１２は、画像ＩＤ「０２」に対応付けて画像「Ａ」のサムネイル「ａ」を格納する。ここで、画像格納部１２は、格納している画像について、画像ＩＤとしての選択順序情報を、予め採番していることが好ましい。
【００９６】
画像格納部１２は、図４に記載の形態と同じく、パーソナルコンピュータ３０のハードディスクに、画像ＩＤとしての選択順序情報に対応付けて画像「Ａ」等を格納してもよい。画像格納部１２は、メモリに、画像ＩＤとしての選択順序情報に対応付けてサムネイル「ａ」等を格納してもよい。選択順序情報を画像ＩＤとして、複数の画像を格納する態様においては、画像格納部１２は、選択順序記憶部１８の機能を含んでいてもよい。
【００９７】
なお、画像格納部１２が図１３（ｃ）に示すように、画像ＩＤに対応付けて画像を格納している場合には、図６に記載のステップＳ１００において、初期配置部１６は、図７（ｃ）に示すように、サムネイルを表示する（Ｓ１００）。
【００９８】
図１から図１３に示す実施形態において、画像表示装置１０は選択順序記憶部１８を備え、配置変更部２０は選択順序記憶部１８を参照して画像を並び替えるが、これに限られない。他の例として、選択受付部２４が画像の選択の入力を受け付ける度にこれを配置変更部２０に通知し、通知を受けた配置変更部２０が当該画像を並び替えてもよい。また、この場合に、画像ＩＤに代えて、選択順序情報はメモリ上に展開された画像におけるメモリアドレスに対応付けられてもよい。また、画像ＩＤは並び替えまたは書き換えにおいて常に同じでなくてもよく、途中の段階で他の画像ＩＤを用いてもよい。
【００９９】
また、図１から図１３の実施形態においては、選択順序情報は選択された順序を示し、この選択順序情報が示す順に、配置変更部２０が画像を並び替え、また、識別情報書換部２２が画像ＩＤを書き換えるが、これに限られない。選択順序情報は選択された順序に基づいた順序を示す情報であればよい。例えば、選択された順序の逆順を選択順序情報としてもよい。
【０１００】
さらにまた、図１から図１３の実施形態においては、画像格納部１２は画像表示装置１０に設けられているが、これに限られない。他の形態として、画像格納部１２は画像表示装置１０に対して外部に設けられたメモリであってもよい。
【０１０１】
さらにまた、図１から図１３の実施形態において、画像表示装置１０はパーソナルコンピュータ３０及び複数の画像を一度に表示できるディスプレイ３２等からなるが、これに限られない。画像表示装置１０は、デジタルカメラ、携帯電話等であってもよい。この場合に、画像表示装置１０のディスプレイ３２は、一度に一つの画像を表示するものであってもよい。
【０１０２】
さらにまた、図１から図１３の実施形態において、選択受付部２４は、ユーザから一つずつ画像の選択を受け付けてもよいし、マウス３６のドラッグ等により複数の画像の選択を受け付けてもよい。選択受付部２４が複数の画像の選択を受け付けた場合に、選択順序記憶部１８は、一度に選択された複数の画像間については現在表示されている順序を選択順序情報として記憶してもよい。
【０１０３】
以上、本実施形態によれば、ユーザ及び画像表示装置１０の両方にとって軽い負担で、複数の画像の表示順序を変更することができる。
【０１０４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【０１０５】
【図１】画像表示装置１０を一例で示す。
【図２】画像表示装置１０のブロック図の一例を示す。
【図３】表示部１４の一例を模式的に示す。
【図４】画像格納部１２に格納された情報の一例を模式的に示す。
【図５】選択順序記憶部１８に記憶された情報の一例を模式的に示す。
【図６】画像表示装置１０が画像を表示部１４に表示するフローチャートの一例を示す。
【図７】サムネイル表示領域１４０に表示された画像の一例を示す。
【図８】ステップＳ２００のフローチャートの一例を示す。
【図９】ステップＳ３００のフローチャートの一例を示す。
【図１０】画像格納部１２に格納された情報の一例を模式的に示す。
【図１１】選択順序記憶部１８に記憶された情報の他の例を模式的に示す。
【図１２】画像表示装置１０が画像を表示部１４に表示するフローチャートの他の例を示す。
【図１３】画像格納部１２に格納された情報の他の例を模式的に示す。
【符号の説明】
【０１０６】
１０  画像表示装置、１２  画像格納部、１４  表示部、１６  初期配置部、１８  選択順序記憶部、２０  配置変更部、２２  識別情報書換部、２４  選択受付部、３０  パーソナルコンピュータ、３２  ディスプレイ、３４  キーボード、３６  マウス、４０  記録媒体、１４０  サムネイル表示領域、１４２  条件指定領域、１４４  枠、１４６  枠
【図１】
2007052742.tif 000003
【図２】
2007052742.tif 000004
【図３】
2007052742.tif 000005
【図４】
2007052742.tif 000006
【図５】
2007052742.tif 000007
【図６】
2007052742.tif 000008
【図７】
2007052742.tif 000009
【図８】
2007052742.tif 000010
【図９】
2007052742.tif 000011
【図１０】
2007052742.tif 000012
【図１１】
2007052742.tif 000013
【図１２】
2007052742.tif 000014
【図１３】
2007052742.tif 000015